(57)【特許請求の範囲】
【請求項１】
建物の通用口の扉の近傍に設けられ、入力された人体の特徴点データと、予め登録された人体の特徴点データとを照合して、両者が一致すれば上記通用口の扉を解錠する第１の人体照合器と、
上記建物内の部屋の扉の近傍に設けられ、入力された人体の特徴点データと、予め登録された人体の特徴点データとを照合して、両者が一致すれば上記部屋の扉を解錠する第２の人体照合器と、
上記部屋に人が侵入すると動作する侵入センサと、
上記通用口の扉の近傍に設けられ、人体の特徴点データの入力ではない所定の人為操作により、緊急信号を出力して上記通用口の扉を解錠する第１の緊急信号発生器と、
上記部屋の扉の近傍に設けられ、人体の特徴点データの入力ではない所定の人為操作により、緊急信号を出力する第２の緊急信号発生器と、
上記侵入センサの動作時に、上記第１の緊急信号発生器及び上記第２の緊急信号発生器から緊急信号が出力され、且つ上記第２の人体照合器に人体の特徴点データが入力されると、上記第２の人体照合器による人体の特徴点データの照合とは関係なく、上記部屋の扉を解錠する扉解錠手段と、
を備えたことを特徴とする建物の警備装置。
【請求項２】
第１の緊急信号発生器及び第２の緊急信号発生器の少なくとも何れか一方を、部屋の人以外の者が専用キーを用いてふたを開いて操作する緊急スイッチとしたことを特徴とする請求項１記載の建物の警備装置。
【請求項３】
第１の緊急信号発生器及び第２の緊急信号発生器の少なくとも何れか一方を、テンキー又は識別カードとしたことを特徴とする請求項１記載の建物の警備装置。
【請求項４】
建物内にエレベーターを設置し、
侵入センサによる侵入監視が設定されると、上記エレベーターを侵入監視中の部屋の階への停止を阻止するエレベーター停止阻止手段と、
第１の緊急信号発生器から緊急信号が出力されると、上記エレベーターの停止阻止を所定時間解除するエレベーター停止阻止解除手段と、
を設けたことを特徴とする請求項１に記載の建物の警備装置。
【請求項５】
扉解錠手段は、侵入センサが動作していない場合でも、第１の緊急信号発生器及び第２の緊急信号発生器から緊急信号が出力され、且つ第２の人体照合器に人体の特徴点データが入力されると、上記第２の人体照合器による人体の特徴点データの照合とは関係なく、部屋の扉を解錠することを特徴とする請求項１に記載の建物の警備装置。
【発明の詳細な説明】
【０００１】
【発明の属する技術分野】
この発明は、指紋等の人体特徴点の照合を利用して、建物の警備をする装置に関するものである。
【０００２】
【従来の技術】
建物への入退室を管理するため、建物の通用口の扉及び部屋の扉の近傍に指紋照合器を設置する場合がある。そして、入館者は通用口の指紋照合器で指紋を入力し、この指紋の特徴点データをあらかじめ登録された指紋の特徴点データと照合し、両者が一致すれば通用口の扉が解錠されて建物内へ入ることができる。ここで、入館者はエレベーターで自分の階へ行き、部屋の指紋照合器で上記と同様に指紋を照合して部屋に入ることになる。退館する場合は上記と逆の動作となる。
【０００３】
また、建物及び部屋には、侵入センサが設置されており、無人になった建物又は部屋に人が侵入すると、上記侵入センサが動作して、侵入発生を警備会社へ自動通報するようになっている。そして、通報を受けた警備会社では、警備員を現地に急行させ、侵入に対応する処置を実行することになる。
【０００４】
【発明が解決しようとする課題】
上記のような従来の建物の警備装置では、指紋照合により通用口の扉及び部屋の扉を解錠するようにしているため、指紋を登録していない警備員は建物内や部屋内に入れないという問題点がある。つまり、緊急対応の警備員は指紋登録していない可能性は大きく、現地へ急行しても以後の活動が不能になる確率は高い。
【０００５】
この発明は上記問題点を解消するためになされたもので、指紋照合を利用した場合でも、部屋の人とは無関係の警備員が通用口の扉及び部屋の扉を解錠することができるようにした建物の警備装置を提供することを目的とする。
【０００６】
【課題を解決するための手段】
この発明の第１発明に係る建物の警備装置は、建物の通用口の扉の近傍に設けられ、入力された人体の特徴点データと、予め登録された人体の特徴点データとを照合して、両者が一致すれば通用口の扉を解錠する第１の人体照合器と、建物内の部屋の扉の近傍に設けられ、入力された人体の特徴点データと、予め登録された人体の特徴点データとを照合して、両者が一致すれば部屋の扉を解錠する第２の人体照合器と、部屋に人が侵入すると動作する侵入センサと、通用口の扉の近傍に設けられ、人体の特徴点データの入力ではない所定の人為操作により、緊急信号を出力して通用口の扉を解錠する第１の緊急信号発生器と、部屋の扉の近傍に設けられ、人体の特徴点データの入力ではない所定の人為操作により、緊急信号を出力する第２の緊急信号発生器と、侵入センサの動作時に、第１の緊急信号発生器及び第２の緊急信号発生器から緊急信号が出力され、且つ第２の人体照合器に人体の特徴点データが入力されると、第２の人体照合器による人体の特徴点データの照合とは関係なく、部屋の扉を解錠する扉解錠手段と、を備えたものである。
【０００７】
また、第２発明に係る建物の警備装置は、第１発明のものにおいて、第１の緊急信号発生器及び第２の緊急信号発生器の少なくとも何れか一方を、部屋の人以外の者が専用キーを用いてふたを開いて操作する緊急スイッチとしたものである。
【０００８】
また、第３発明に係る建物の警備装置は、第１発明のものにおいて、第１の緊急信号発生器及び第２の緊急信号発生器の少なくとも何れか一方を、テンキー又は識別カードとしたものである。
【０００９】
また、第４発明に係る建物の警備装置は、第１発明のものにおいて、侵入センサによる侵入監視が設定されると、エレベーターを侵入監視中の部屋の階への停止を阻止し、通用口の扉が解錠されると、エレベーターの停止阻止を所定時間解除するようにしたものである。
【００１０】
また、第５発明に係る建物の警備装置は、第１発明のものにおいて、扉解錠手段は、侵入センサが動作していない場合でも、第１の緊急信号発生器及び第２の緊急信号発生器から緊急信号が出力され、且つ第２の人体照合器に人体の特徴点データが入力されると、第２の人体照合器による人体の特徴点データの照合とは関係なく、部屋の扉を解錠するようにしたものである。
【００１１】
【発明の実施の形態】
実施の形態１．
図１〜図６はこの発明の第１、第２及び第４発明の一実施の形態を示す図で、図１は建物の一部破断斜視図、図２は指紋照合器の斜視図、図３はブロック線図、図４は通用口の制御動作フローチャート、図５は建物の警備動作フローチャート、図６は図５の続きを示すフローチャートであり、図中同一符号は同一部分を示す。
【００１２】
図１において、１〜３はそれぞれ１階〜３階の部屋（ここでは、事務室とする）、４〜６はそれぞれ部屋１〜３の出入口扉を電気的に解錠する電気錠、７〜９はそれぞれ部屋１〜３の出入口近傍に配置された指紋照合器、１０は建物の通用口、１１は通用口１０の扉を電気的に解錠する電気錠、１２は通用口１０の近傍に配置された指紋照合器、１３は指紋照合器１２の近傍に配置され、専用キーで施錠・解錠されるスイッチ箱に収納され、緊急信号発生器を構成する緊急スイッチ、１４はエレベーターである。
【００１３】
図２において、１５は指紋を読み取る指紋リーダ、１６は緊急信号発生器を構成する暗証番号入力用のテンキー、１７は指紋照合の結果を表示する表示器である。
【００１４】
図３において、２１はＣＰＵ、２２はＲＯＭ、２３はＲＡＭ、２４は伝送制御器、２５はインタフェースである。２６〜２８はそれぞれ部屋１〜３の出入口の扉が開かれたり、窓ガラスが破壊されたりすると動作する侵入センサであり、インタフェース２５は侵入センサ２８及び電気錠６に接続されている。指紋照合器７，８，１２は、それぞれ指紋照合器９と同様に構成されている。ただし、伝送制御器２９〜３１だけを図示し、他は図示を省略している。
【００１５】
そして、指紋照合器７のインタフェースは侵入センサ２６及び電気錠４に接続され、指紋照合器８のインタフェースは侵入センサ２７及び電気錠５に接続され、指紋照合器１２のインタフェースは電気錠１１に接続されている。また、伝送制御器２４，３０，２９，３１は相互に接続されている。
【００１６】
３２は主制御器で、伝送制御器３１に接続された伝送制御器３３、ＣＰＵ３４、ＲＯＭ３５、ＲＡＭ３６、通信装置３７及びインタフェース３８を有している。通信装置３７は電話回線３９を通じて警備会社４０に接続されている。また、インタフェース３８はエレベーター制御盤４１及び緊急スイッチ１３に接続されている。
【００１７】
次に、この実施の形態の動作を図４〜図６を参照して説明する。
Ａ  通常時の動作（図４及び図５）
今、建物は後述するように侵入監視中とし、通用口１０の扉は閉塞され、施錠されているものとし、各部屋１〜３の人の指紋は指紋照合器１２のＲＡＭ（図示しない）に登録されているものとする。
ステップＳ１で指紋照合器１２の指紋リーダ１５は指紋をリードするのを待つ。朝出勤して来た人の指紋をリードするとステップＳ２へ進み、ＣＰＵ（図示しない）はＲＯＭ（図示しない）に登録されたプログラムに従って指紋の合否を判定する。
【００１８】
すなわち、リードした指紋とあらかじめ登録された指紋とを照合して、両者の一致・不一致を判定する。照合結果が不一致であれば、ステップＳ３で表示器１７にＮＧ表示をするとともに、ステップＳ１へ戻る。照合結果が一致であれば、ステップＳ４で表示器１７にＯＫ表示して、ステップＳ５で電気錠１１へ解錠信号を出力して、電気錠１１を一定時間解錠する。これで、部屋１〜３の人は通用口１０の扉を開いて入館する。侵入監視中には、後述するように指定の部屋へはエレベーター１４を停止させないように規制されている。
【００１９】
そこで、ステップＳ６で指紋をリードした人の階へのエレベーターサービスの中止を所定時間（その人の部屋の階に到着するのに必要な時間）解除する。これで、ステップＳ７で入館者はエレベーター１４を利用して自分の部屋の階へ行くことができる。今これを３階の部屋３とする。部屋３の前に到着した人は、指紋照合器９で指紋照合する。
【００２０】
ステップＳ１１で指紋リーダ１５は指紋をリードするのを待つ。指紋をリードするとステップＳ１２へ進み、通用口１０の場合と同様に、リードした指紋とＲＡＭ２３に登録された指紋とを照合して、両者の一致・不一致を判定する。照合結果が不一致であれば、ステップＳ１３で表示器１７にＮＧ表示をするとともに、ステップＳ１１へ戻る。照合結果が一致であれば、ステップＳ１４で表示器１７にＯＫ表示してステップＳ１５へ進む。
【００２１】
ステップＳ１５で建物が侵入監視中かを判定する。侵入監視中とは各部屋１〜３に設置された侵入センサ２６〜２８が有効となっている状態であり、侵入監視中に侵入センサ２６〜２８が作動すると、それぞれ侵入信号を出力するようになっている。現在は侵入監視中であるので、ステップＳ１６で電気錠６を解錠し、ステップＳ１７で３階へのエレベーターサービスを開始、つまりエレベーター１４を３階へも停止できるようにする。また、ステップＳ１８で侵入監視を中止する。これで、平常状態となり、侵入センサ２８は無効となる。
【００２２】
次に、夜間部屋３の最後の人が帰宅するため、出入口の扉を開いて部屋３の外に出て、指紋照合器９で指紋照合する。入館時と同様に、ステップＳ１２で照合結果が一致であれば、ステップＳ１４でＯＫ表示をして、ステップＳ１５で侵入監視中かを判定する。現在侵入監視中ではないのでステップＳ１９で電気錠６を施錠し、ステップＳ２０で３階へのエレベーターサービスを所定時間（１階に到着するのに必要な時間）後に中止する。また、ステップＳ２１で侵入監視を開始する。これで、帰宅者はエレベーター１４で１階へ行き、通用口１０から退館することになる。
【００２３】
ステップＳ２２で侵入センサ２６〜２８が動作したかを判定し、動作していなければ、ステップＳ２３で指紋のリードに備える。指紋リードがなければステップＳ２２へ戻り、指紋をリードすればステップＳ２４へ進み、指紋の合否を判定する。照合結果が不一致であれば、ステップＳ２５で表示器１７にＮＧ表示するとともに、ステップＳ２２へ戻る。照合結果が一致であれば、ステップＳ２６で表示器１７にＯＫ表示するとともにステップＳ１５へ戻る。すなわち、指紋照合が一致であれば、侵入監視が中止される。
【００２４】
Ｂ  侵入発生時の動作（図５及び図６）
侵入監視中、部屋３に侵入が発生し、ステップＳ２２で侵入センサ２８が動作したと判定すると、ステップＳ２７で侵入信号が取り込まれ、伝送制御器２４から伝送制御器３０，２９，３１を経由して伝送制御器３３に入力される。この信号により、通信装置３７は電話回線３９を通じて、侵入発生を警備会社４０へ自動通報する。ステップＳ２８で通報を受けた警備会社４０の警備員はこの建物へ急行し、通用口１０へ来る。
【００２５】
ステップＳ２９で警備員はあらかじめ所持している専用キーで、スイッチ箱を解錠してふたを開き、緊急スイッチ１３をオンする。これで、ステップＳ３０で通用口１０の扉の電気錠１１は一時解錠され、警備員は通用口１０の扉を開いて建物内へ入る。一方、ステップＳ３１で主制御器３２は、エレベーター制御盤４１へサービス中止解除信号を所定時間出力する。すなわち、ステップＳ２０で３階へのエレベーター１４の停止が中止されていたのが解除されることになる。
【００２６】
これで、ステップＳ３２でエレベーター１４のサービス中止はすべて解除され、どの階へも行けるようになり、ステップＳ３３で警備員はエレベーター１４を利用して、侵入発生した３階へ行く。また、ステップＳ２９で緊急スイッチ１３をオンすることにより、ステップＳ３４で各階の指紋照合器７〜９は所定時間内は所定の暗証番号（警備員用に定められている。）を入力して扉を解錠できるようになる。これで、ステップＳ３５で警備員は侵入発生の部屋３の前へ行き、指紋照合器９のテンキー１６を操作して暗証番号を入力する。
【００２７】
その後、警備員は指紋リーダ１５で指紋をリードさせ、ステップＳ３６で指紋がリードされると、ステップＳ３７で指紋の特徴点をＲＡＭ２３に記憶する。（指紋の照合はしない。）ステップＳ３８で部屋３の扉の電気錠６を所定時間解錠する。これで、警備員は扉を開いて部屋３に入り、侵入に対応した処置をすることになる。ここで、ステップＳ１５，Ｓ２０はエレベーター停止阻止手段を、ステップＳ２９，Ｓ３１はエレベーター停止阻止解除手段を、ステップＳ２９，Ｓ３０，Ｓ３５〜Ｓ３８は扉解錠手段を構成している。
【００２８】
なお、エレベーター１４は侵入監視開始とともに、サービスを中止するものとしたが、この外にも次のような種々の手段がある。すなわち、例えば部屋３が無人になる（部屋３が施錠される。）と、３階へのエレベーター１４のサービスを中止する。すべての部屋１〜３が無人になったとき、建物全体のエレベーター１４のサービスを中止する。管理人がスイッチをオン／オフすることによって、エレベーター１４のサービスを中止するなどである。
【００２９】
このようにして、部屋１〜３の人とは指紋が異なる警備員でも、緊急の場合通用口１０の扉を解錠して建物内に入り、エレベーター１４を利用して侵入発生階へ行き、侵入発生の部屋の扉を解錠して部屋に入ることが可能となる。また、警備員が入力した指紋の特徴点はＲＡＭ２３に記憶されるので、侵入発生に伴う対応の分析資料を得ることが可能である。
【００３０】
実施の形態２．
この発明の第３発明の一実施の形態である。
実施の形態１では、緊急信号発生器として緊急スイッチ１３を用いるものとしたが、これに限るものではなく、テンキー又は識別カードを用いるものであり、実施の形態１と同様の効果がある。
【００３１】
実施の形態３．
この発明の第５発明の一実施の形態である。
この実施の形態では、実施の形態１で示した解錠操作、すなわち緊急スイッチ１３による解錠、テンキー１６による暗証番号の入力及び指紋リーダ１５への指紋入力（照合はしない）による解錠を、侵入が発生した部屋についてだけ有効としたものであり、操作を簡単にすることが可能となる。
【００３２】
実施の形態４．
この発明の第６発明の一実施の形態である。
この実施の形態では、実施の形態１で示した専用キーによる解錠操作を、侵入が発生していない場合でも有効とするものであり、電話等で異状通報があって、これに警備員が出動する場合でも、扉を解錠することができる。
【００３３】
他の実施の形態
次のように実施することも可能である。
（１）指紋以外に、網膜パターン、アイリス、声紋、署名等人体の特徴点データ、すなわちバイオメトリクス識別を用いる。
（２）通用口１０には緊急スイッチ１３や指紋照合器１２を設置せず、昼間は自由に通行可能にする。
（３）部屋１〜３の数、エレベーター１４の台数には制限を受けない。
【００３４】
【発明の効果】
以上説明したとおりこの発明の第１発明では、建物の通用口の扉の近傍に設けられ、入力された人体の特徴点データと、予め登録された人体の特徴点データとを照合して、両者が一致すれば通用口の扉を解錠する第１の人体照合器と、建物内の部屋の扉の近傍に設けられ、入力された人体の特徴点データと、予め登録された人体の特徴点データとを照合して、両者が一致すれば部屋の扉を解錠する第２の人体照合器と、部屋に人が侵入すると動作する侵入センサと、通用口の扉の近傍に設けられ、人体の特徴点データの入力ではない所定の人為操作により、緊急信号を出力して通用口の扉を解錠する第１の緊急信号発生器と、部屋の扉の近傍に設けられ、人体の特徴点データの入力ではない所定の人為操作により、緊急信号を出力する第２の緊急信号発生器と、侵入センサの動作時に、第１の緊急信号発生器及び第２の緊急信号発生器から緊急信号が出力され、且つ第２の人体照合器に人体の特徴点データが入力されると、第２の人体照合器による人体の特徴点データの照合とは関係なく、部屋の扉を解錠する扉解錠手段と、を備え、第２発明では、第１の緊急信号発生器及び第２の緊急信号発生器の少なくとも何れか一方を緊急スイッチとし、第３発明では同じくテンキー又は識別カードとしたものである。
【００３５】
これにより、部屋の人とは人体の特徴点が異なる警備員でも、緊急の場合扉を解錠して建物及び部屋に入ることができ、侵入発生に際し速やかに対応することができる。
【００３６】
また、第４発明では、侵入監視が設定されると、エレベーターを侵入監視中の部屋の階への停止を阻止し、通用口の扉が解錠されると、上記エレベーターの停止阻止を所定時間解除するようにしたので、警備員はエレベーターを利用して侵入発生階へ速やかに到着することができる。
【００３７】
また、第５発明では、扉解錠手段は、侵入センサが動作していない場合でも、第１の緊急信号発生器及び第２の緊急信号発生器から緊急信号が出力され、且つ第２の人体照合器に人体の特徴点データが入力されると、第２の人体照合器による人体の特徴点データの照合とは関係なく、部屋の扉を解錠するようにしたので、電話等で異状通報があって、これに警備員が出動する場合でも、扉を解錠することができる。
【図面の簡単な説明】
【図１】  この発明の実施の形態１を示す建物の一部破断斜視図。
【図２】  図１の指紋照合器の斜視図。
【図３】  この発明の実施の形態１を示すブロック線図。
【図４】  この発明の実施の形態１を示す通用口の制御動作フローチャート。
【図５】  この発明の実施の形態１を示す建物の警備動作フローチャート。
【図６】  図５の続きを示すフローチャート。
【符号の説明】
１〜３  部屋、４〜６  電気錠、７〜９  人体照合器（指紋照合器）、１０  通用口、１１  電気錠、１２  人体照合器（指紋照合器）、１３  緊急信号発生器（緊急スイッチ）、１４  エレベーター、１５  指紋リーダ、１６  テンキー、２６〜２８  侵入センサ、Ｓ１５，Ｓ２０  エレベーター停止阻止手段、Ｓ２９，Ｓ３１  エレベーター停止阻止解除手段、Ｓ２９，Ｓ３０，Ｓ３５〜Ｓ３８  扉解錠手段。
【図１】
0003953260.tif 000002
【図２】
0003953260.tif 000003
【図３】
0003953260.tif 000004
【図４】
0003953260.tif 000005
【図５】
0003953260.tif 000006
【図６】
0003953260.tif 000007